(57)【要約】【課題】  デジタルプログラム録画装置及び方法、そしてその方法によりプログラム付加情報を保存する記録媒体を提供する。【解決手段】  デジタルプログラム信号に含まれたプログラム付加情報データを抽出して分析するための付加情報分析部と、付加情報分析部により出力された付加情報をグラフィックデータに変換するためのグラフィックデータ生成部と、デジタルプログラム信号及びグラフィックデータ生成部により生成されたグラフィックデータをディスクに記録するディスク生成部と、を備えるデジタルプログラム録画装置。これにより、デジタルＴＶ機能のない一般的な再生装置もデジタル放送のプログラム付加情報をユーザに提供することによってユーザの便宜を増大させる。また本発明によるデジタルプログラム再生装置は、デジタルＴＶ機能モジュールを必要としないので経済的である。【選択図】      図２
2008211771.tif 000002
【特許請求の範囲】
【請求項１】
デジタルプログラム信号に含まれたプログラム付加情報データを抽出して分析するための付加情報分析部と、
前記付加情報分析部により出力された付加情報をグラフィックデータに変換するためのグラフィックデータ生成部と、
前記デジタルプログラム信号及び前記グラフィックデータ生成部により生成されたグラフィックデータをディスクに記録するディスク生成部と、を備えるデジタルプログラム録画装置。
【請求項２】
前記デジタルプログラム録画装置は、前記デジタルプログラム信号及び前記付加情報分析部により分析されたプログラム付加情報を保存するための保存部をさらに備えることを特徴とする請求項１に記載のデジタルプログラム録画装置。
【請求項３】
前記デジタルプログラム録画装置は、デジタルプログラム信号を逆多重化するための逆多重化部をさらに備えることを特徴とする請求項１に記載のデジタルプログラム録画装置。
【請求項４】
前記プログラム付加情報分析部は、付加情報の再生が容易になるように付加情報を編集するか、フォーマットを変換する加工過程を選択的に行うことを特徴とする請求項１に記載のデジタルプログラム録画装置。
【請求項５】
前記保存部は、前記デジタルプログラム信号の全部または一部を保存することを特徴とする請求項２に記載のデジタルプログラム録画装置。
【請求項６】
前記保存部は、プログラム付加情報をデータベースの形態に保存することを特徴とする請求項２に記載のデジタルプログラム録画装置。
【請求項７】
前記データベースは、現在録画中のプログラムの付加情報以外にも既存に既に録画されたプログラムの付加情報を含むことを特徴とする請求項６に記載のデジタルプログラム録画装置。
【請求項８】
前記グラフィックデータ生成部は、ユーザの選択によって保存部に保存された全部または一部の付加情報をグラフィックデータに変換することを特徴とする請求項１に記載のデジタルプログラム録画装置。
【請求項９】
前記グラフィックデータのフォーマットは、ＢＤ及びＨＤ  ＤＶＤのうちいずれか一つの規格に合うことを特徴とする請求項１に記載のデジタルプログラム録画装置。
【請求項１０】
前記ディスクは、光ディスクであることを特徴とする請求項１に記載のデジタルプログラム録画装置。
【請求項１１】
前記光ディスクは、グラフィックデータフォーマットを支援することを特徴とする請求項１０に記載のデジタルプログラム録画装置。
【請求項１２】
デジタルプログラム信号に含まれたプログラム付加情報を抽出して分析するためのステップと、
前記付加情報をグラフィックデータに変換するステップと、
前記デジタルプログラム信号及び前記グラフィックデータを記録媒体に保存するステップと、を含むデジタルプログラム録画方法。
【請求項１３】
前記デジタルプログラム録画方法は、前記デジタルプログラム信号及び前記分析された付加情報を保存するステップをさらに含むことを特徴とする請求項１２に記載のデジタルプログラム録画方法。
【請求項１４】
前記記録媒体は、光ディスクであることを特徴とする請求項１２に記載のデジタルプログラム録画方法。
【請求項１５】
前記付加情報を保存するステップは、付加情報をデータベースの形態に保存することを特徴とする請求項１３に記載のデジタルプログラム録画方法。
【請求項１６】
前記デジタルプログラム録画方法は、ユーザが付加情報のデータベースを利用して一つ以上のプログラムを選択することを特徴とする請求項１５に記載のデジタルプログラム録画方法。
【請求項１７】
前記デジタルプログラム信号を記録媒体に保存するステップは、前記ユーザが選択したプログラムを構成するデータのみを記録媒体に保存することを特徴とする請求項１６に記載のデジタルプログラム録画方法。
【請求項１８】
前記グラフィックデータのフォーマットは、ＢＤ及びＨＤ  ＤＶＤのうちいずれか一つの規格に合うことを特徴とする請求項１３に記載のデジタルプログラム録画方法。
【請求項１９】
デジタルプログラムデータを保存する記録媒体であって、
前記プログラムデータのうち、ビデオデータ及びオーディオデータはＴＳデータの構造を持ち、
前記プログラムデータのうち、プログラム付加情報データは、記録媒体である光ディスクが支援できるグラフィックデータの構造を持つことを特徴とするコンピュータで読み取り可能な記録媒体。
【請求項２０】
前記グラフィックデータの構造は、ＢＤ及びＨＤ  ＤＶＤのうちいずれか一つの規格に合うことを特徴とする請求項１９に記載のコンピュータで読み取り可能な記録媒体。
【請求項２１】
デジタルプログラムを構成するビデオデータ、オーディオデータ及び前記プログラムの付加情報を含むグラフィックデータを記録したディスクと、
前記ディスクに保存されたオーディオデータをデコーディングするためのオーディオデコーダと、
前記光ディスクに保存されたビデオデータをデコーディングするためのビデオデコーダと、
前記ディスクに保存されたグラフィックデータをデコーディングするためのグラフィックデータデコーダと、を含むデジタルプログラム再生装置。
【発明の詳細な説明】
【技術分野】
【０００１】
本発明はデジタルプログラムの録画に係り、特にデジタルプログラムの録画時にプログラム付加情報をグラフィックデータに変換して保存する装置及び方法に関する。
【背景技術】
【０００２】
デジタルＴＶ放送はデジタル信号（ＴＳ：Ｔｒａｎｓｐｏｒｔ  Ｓｔｒｅａｍ）を利用するので、ユーザは放送プログラムデータを保存用ディスク、ＨＤＤ、フラッシュメモリ、その他のデジタルデータ装置に保存した後、今後に一般的なマルチメディア再生装置（例：ＤＶＤプレーヤー）を利用して再生できる。
【０００３】
図１に示すように、従来のデジタルプログラムレコーダ１１は、受信した放送プログラムを元来のデータ形式（ＴＳ）のまま記録媒体、たとえば、ディスク１２に録画する。プレーヤー１１は、録画された放送プログラム（または、ＴＳデータ）をデコーディングしてディスプレイ装置１３（例：ＴＶ）に伝送する。
【０００４】
前記デコーディングされたＴＳデータは、ビデオストリーム及びオーディオストリーム以外にもプログラム付加情報を含む。一般的なプログラム付加情報の例として、ＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）を挙げることができる。このようなプログラム付加情報は、ＴＳパケットを持ってプログラムの再生に必要な付加情報を含んでいる（例：ＥＰＧ、キャプションなど）。
【０００５】
しかし、一般的なプレーヤー１１はデジタルＴＶ機能がないために、前記プログラム付加情報を利用した付加機能を提供できない。また、ディスプレイ装置１３がデジタルＴＶである場合にも、デジタルＴＶとプレーヤー１１との間をＨＤＭＩ、ＣＯＭＰＯＮＥＮＴ、ＣＶＢＳなどのインターフェース方式で連結する場合、プレーヤー１１がＴＳデータをそのままＴＶに伝送できないために、デジタルＴＶもプログラム付加情報を活用できないという問題点がある。
【発明の開示】
【発明が解決しようとする課題】
【０００６】
本発明では前記従来技術の問題点を克服し、デジタルＴＶ機能のない一般的な再生装置でもプログラム付加情報を活用できるようにするデジタルプログラム録画装置及び方法、そして前記方法によりプログラム付加情報を保存する記録媒体を提供するところにある。
【課題を解決するための手段】
【０００７】
前記の技術的課題を解決するために、本発明によるデジタルプログラム録画装置は、デジタルプログラム信号に含まれたプログラム付加情報データを抽出して分析するための付加情報分析部と、前記付加情報分析部により出力された付加情報をグラフィックデータに変換するためのグラフィックデータ生成部と、前記デジタルプログラム信号及び前記グラフィックデータ生成部により生成されたグラフィックデータをディスクに記録するディスク生成部と、を備えることを特徴とする。
【０００８】
前記のさらに他の技術的課題を解決するために、本発明によるデジタルプログラム録画方法は、デジタルプログラム信号に含まれたプログラム付加情報を抽出して分析するためのステップと、前記付加情報をグラフィックデータに変換するステップと、前記デジタルプログラム信号及び前記グラフィックデータを記録媒体に保存するステップと、を含むことを特徴とする。
【０００９】
前記さらに他の技術的課題を解決するために、本発明によるコンピュータで読み取り可能な記録媒体は、デジタルプログラムデータを保存する記録媒体として、前記プログラムデータのうち、ビデオデータ及びオーディオデータはＴＳデータの構造を持ち、前記プログラムデータのうち、プログラム付加情報データは、記録媒体である光ディスクが支援できるグラフィックデータの構造を持つことを特徴とする。
【００１０】
前記さらに他の技術的課題を解決するために、本発明によるデジタルプログラム再生装置は、デジタルプログラムを構成するビデオデータ、オーディオデータ及び前記プログラムの付加情報を含むグラフィックデータを記録したディスクと、前記ディスクに保存されたオーディオデータをデコーディングするためのオーディオデコーダと、前記光ディスクに保存されたビデオデータをデコーディングするためのビデオデコーダと、前記ディスクに保存されたグラフィックデータをデコーディングするためのグラフィックデータデコーダと、を含むことを特徴とする。
【発明の効果】
【００１１】
本発明によれば、デジタルＴＶ機能のない一般的な再生装置もデジタル放送のプログラム付加情報をユーザに提供することによってユーザの便宜を増大させる。
【００１２】
また本発明によるデジタルプログラム再生装置は、デジタルＴＶ機能モジュールを必要としないので経済的である。
【発明を実施するための最良の形態】
【００１３】
以下、添付した図面を参照して本発明の望ましい実施形態について説明する。
【００１４】
図２は、本発明によるデジタル放送プログラムの録画装置の構成を示す機能ブロック図である。
【００１５】
チューナー２１は、有／無線チャンネルを通じて録画器２に受信されたデジタルプログラム信号のうち、視聴者が録画しようとする放送プログラムが属するチャンネルの放送信号だけを分離し、復調器２１は、チューナーから受信した放送信号を復調して実際ビット列のＴＳを出力する。
【００１６】
ＴＳ逆多重化部２２は、復調器２１により獲得されたＴＳを逆多重化してＴＳデータ、すなわち、ビデオデータ、オーディオデータ及びプログラム付加情報データに分離する。
【００１７】
プログラム付加情報分析部２３は、前記ＴＳ逆多重化部２２により分離されたＴＳデータからプログラム付加情報を抽出した後、これを分析する。また付加情報分析部２３は、前記付加情報が一般マルチメディア再生装置により容易にデコーディングされるように付加情報を編集するか、フォーマットを変換する加工過程を選択的に行うことができる。
【００１８】
保存部２６は、前記ＴＳ逆多重化部２２により分離されたＴＳデータ及び前記付加情報分析部で分析及び／または加工された付加情報を保存する。保存部２６は、前記付加情報分析部から受信したプログラムの付加情報をデータベースの形態に保存することができる（例：図４のプログラム付加情報ＤＢ）。このデータベースには、現在録画中のプログラムの付加情報以外にも既存に既に録画されたプログラムの付加情報が保存されている。
【００１９】
保存部２６は、ＴＳ逆多重化部２２から出力された元来のＴＳデータをそのまま保存してもよく、元来のＴＳデータのうち、ユーザが録画しようとするプログラムと関連したデータ（ビデオデータ、オーディオデータ、付加情報データ）のみ保存してもよい。保存部２６は、一般的な記録媒体で構成され、その例として、ハードディスクドライブ（ＨＤＤ）、揮発性メモリ（ＲＡＭ）。不揮発性メモリ（ＲＯＭ）などがある。
【００２０】
グラフィックデータ生成部２４は、プログラム付加情報をグラフィックデータに変換する。ユーザが保存部２６に保存されたプログラム付加情報ＤＢを利用して録画するプログラムを選択すれば、グラフィックデータ生成部２４は、選択したプログラムと関連した付加情報のみを抽出してグラフィックデータに変換する。この時、ユーザの設定によって変換される付加情報は特定の方式（例：放送日別、プログラムのジャンル別など）に整列されうる。
【００２１】
本発明によるグラフィックデータのフォーマットは、光ディスクが支援するものでなければならず、一般的なマルチメディア再生装置が認識できるものでなければならない。このようなグラフィックデータフォーマットの例としては、次世代ＤＶＤ（デジタル  ビデオ  ディスク）の標準規格であるＢＤ（ブルー−レイ  ディスク）、ＨＤ  ＤＶＤ（ハイ  ディフィニション  デジタル  ビデオ  ディスク）などがある。本発明により生成されるグラフィックデータのフォーマットは、このような標準規格のスペックに合うものでなければならない。
【００２２】
ディスク生成部２５は、ユーザが選択したプログラムデータをディスク２７に保存する。すなわち、ディスク生成部２５は、グラフィックデータ生成部２４から録画するプログラムに関連したグラフィックデータを受信し、また保存部２６からＴＳデータを獲得して光ディスクの記録フォーマットに合わせてディスク２７に記録する。
【００２３】
ところが、ディスク生成部２５は、保存部に保存された元来のＴＳデータを読み出してそのままディスクに保存してもよいが、元来のＴＳデータのうち録画しようとするプログラムを構成するデータのみを抽出してディスクに記録できる。なぜなら、ＭＰＥＧ２規格による場合、前記ＴＳデータは複数のプログラムに関するデータを含むためである。
【００２４】
ディスク２７は、大きい保存容量を持つ光ディスクであることが望ましい。またグラフィックデータフォーマットを支援できるものでなければならない。
【００２５】
本発明による他の実施形態では、ディスク２７は、保存部２６の代わりにＴＳ逆多重化部２２により分離されたＴＳデータ、前記付加情報分析部で分析及び加工されたプログラム付加情報データベースなどを保存するように設計されうる。
【００２６】
図３は、本発明によるデジタル放送プログラム録画方法の動作を示すフローチャートである。
【００２７】
ステップ３１では、録画器２に受信されたデジタルＴＶ放送信号のうち、視聴者が録画しようとする放送プログラムが属するチャンネルの放送信号のみを分離した後、復調することで実際ビット列のＴＳを獲得する。
【００２８】
ステップ３２は、ＴＳを逆多重化するためのステップである。ステップ３１で獲得したＴＳを逆多重化してＴＳデータ、すなわち、ビデオデータ、オーディオデータ及びプログラム付加情報データに分離する。
【００２９】
ステップ３３では、ステップ３２で分離されたプログラム付加情報を抽出した後、これを分析する。またこのステップでは、選択的に前記付加情報が一般マルチメディア再生装置により容易にデコーディングされるように、付加情報を編集するか、またはフォーマットを変換する加工過程を行える。
【００３０】
ステップ３４では、ステップ３２で逆多重化されたＴＳデータとステップ３３で分析及び／または加工された付加情報とをＨＤＤなどの一般記録媒体に保存する。このステップで保存されるＴＳデータは、元来のＴＳデータ全てを含んでもよいが、元来のＴＳデータのうち、ユーザが録画しようとするプログラムのデータ（ビデオデータ、オーディオデータ、付加情報データ）のみを抽出して保存してもよい。またステップ３３で分析及び／または加工された付加情報は、データベースの形態に保存されうる。
【００３１】
ステップ３５は、ユーザがユーザインターフェース（図示せず）を利用してディスクに録画しようとする放送プログラムを選択するステップである。このステップで、ユーザは前記プログラム付加情報データベースを利用してプログラムを選択できる。
【００３２】
ステップ３６では、ステップ３５で選択されたプログラムに関連した付加情報のみを抽出してグラフィックデータに変換する。
【００３３】
ステップ３７は、ユーザが選択したプログラムデータをディスク２７に保存する。すなわち、ステップ３４で保存されたグラフィックデータ及びＴＳデータを保存部から読み出してディスク２７に記録する。本発明による他の実施形態では、ステップ３６で生成されたグラフィックデータをディスク２７の代わりに保存部２６に再び保存していて、通信線路を通じて外部装置（ＴＶ、ＰＣなど）に伝送してもよい。
【００３４】
ところが、ここでディスクに保存されるＴＳデータは、ステップ３４で保存された元来のＴＳデータ全てを含んでもよいが、元来のＴＳデータのうち、ユーザが録画しようとするプログラムを構成するデータのみを保存部から読み出してディスクに保存できる。
【００３５】
図４は、本発明によるデジタル放送プログラム録画方法による動作を説明するためのシナリオである。
【００３６】
まず、ユーザが放送プログラムを録画するためにチャンネル１を選択すれば、録画装置２は、チャンネル１に属するＴＳ（またはＤＴＶストリーム）を受信する。このように受信されたＴＳは、復調及び逆多重化を経てＴＳデータに変換されて保存部に保存される。前記ＴＳデータに含まれたＡプログラム及びＢプログラムの付加情報４１、４２は、分析及び／または加工を経てプログラム付加情報データベース４４に保存される。
【００３７】
もし、ユーザが放送チャンネルをチャンネル２に変更すれば、チャンネル２に属するＴＳデータが受信され、このＴＳデータが含まれたＣプログラム付加情報４３は、分析及び／または加工を経てプログラム付加情報データベース４４に保存される。
【００３８】
その後、ユーザが付加情報データベース４４を利用してディスク２７に保存しようとするプログラムを選択すれば、選択されたプログラムの付加情報を持ってディスクグラフィックデータ４５を生成する。
【００３９】
図５は、本発明により録画されたデジタル放送プログラムを再生するための再生装置５の構成を示す機能ブロック図である。
【００４０】
ディスク２７に保存されたＴＳデータのうち、オーディオデータはオーディオデコーダ５１に入力される。オーディオデコーダ５１によりデコーディングされたオーディオ信号は、オーディオ出力部（例：スピーカー、イヤホン）５２を通じて出力される。
【００４１】
ディスク２７に保存されたＴＳデータのうち、ビデオデータはビデオデコーダ５３に入力される。ビデオデコーダ５３によりデコーディングされたビデオ信号はＯＳＤ（オン  スクリーン  ディスプレイ）合成部５５に出力される。
【００４２】
ディスク２７に保存されたグラフィックデータは、グラフィックデータデコーダ５４に入力される。グラフィックデータデコーダ５３によりデコーディングされたグラフィック信号はＯＳＤ合成部５５に出力される。
【００４３】
ＯＳＤ合成部５５により一つの画面に合成された映像は、ビデオ出力部５６（例：ディスプレイ）を通じて出力される。
【００４４】
図６の（Ａ）及び（Ｂ）は、本発明により録画されたデジタル放送プログラムが再生されてビデオ出力部５６に表示される態様を示す。
【００４５】
まず、ユーザがディスクに録画されたプログラムの再生を要請すれば、再生装置５はディスク２７に保存されたグラフィックデータをデコーディングする。図６（Ａ）は、前記デコーディングされたグラフィックデータ（またはプログラム付加情報）に含まれたＥＰＧデータを利用して生成された最上位メニュー（ｔｏｐ  ｍｅｎｕ）６１を示す。最上位メニュー６１は、インタラクティブグラフィック（ｉｎｔｅｒａｃｔｉｖｅ  ｇｒａｐｈｉｃ）Ｇ１としてプログラムリストを示す。ユーザがプログラムリストから“Ｂプログラム６２”を選択すれば、再生装置５は、ディスク２７に保存されたＢプログラムのＴＳデータ（ビデオ、オーディオデータ）をデコーディングして、出力部５２、５６を通じて映像６６及び音声を出力する。
【００４６】
図６（Ｂ）の映像６６上にポップアップ（ｐｏｐ−ｕｐ）されたさらに他のメニューＧ２６３はＢプログラムの具体的な情報を示す。メニューＧ２６３もインタラクティブグラフィックで構成されている。
【００４７】
もし、ユーザがメニューＧ２に含まれた字幕（ｃａｐｔｉｏｎ）設定項目６４を“ＯＮ”に設定すれば、字幕６５が映像６６上に表示される。字幕６５は、プレゼンテーショングラフィックで構成されうる。
【００４８】
図６（Ｂ）の映像６６上にポップアップされたさらに他のメニューＧ２６３は、Ｂプログラムの具体的な情報を示す。メニューＧ２６３もインタラクティブグラフィックで構成されている。
【００４９】
もし、ユーザがメニューＧ２に含まれた字幕設定項目６４を“ＯＮ”に設定すれば、字幕６５が映像６６上に表示される。字幕６５は、プレゼンテーショングラフィックで構成されうる。
【００５０】
これまで本発明についてその望ましい実施形態を中心に説明した。当業者ならば本発明が本発明の本質的な特性から逸脱しない範囲で変形された形態に具現されるということが理解できるであろう。したがって、開示された実施形態は限定的な観点ではなく説明的な観点で考慮されねばならない。本発明の範囲は前述した説明ではなく特許請求の範囲に現れており、それと同等な範囲内にあるあらゆる差異点は本発明に含まれていると解釈されねばならない。
【産業上の利用可能性】
【００５１】
本発明は、デジタルＴＶ放送関連の技術分野に好適に用いられる。
【図面の簡単な説明】
【００５２】
【図１】従来技術によるデジタルプログラム録画及び再生方法を示すシナリオである。
【図２】本発明によるデジタルプログラム録画装置の構成を示す機能ブロック図である。
【図３】本発明によるデジタルプログラム録画方法の動作を示すフローチャートである。
【図４】本発明によるデジタルプログラム録画方法による動作を説明するためのシナリオである。
【図５】本発明により録画されたデジタルプログラムを再生するための再生装置の構成を示す機能ブロック図である。
【図６】本発明により録画されたデジタルプログラムが再生されてビデオ出力部に表示される態様を示す図である。
【符号の説明】
【００５３】
２    録画器
２１  チューナー／復調器
２２  ＴＳ逆多重化部
２３  プログラム付加情報分析部
２４  グラフィックデータ生成部
２５  ディスク生成部
２６  保存部
２７  ディスク
【図１】
2008211771.tif 000003
【図２】
2008211771.tif 000004
【図３】
2008211771.tif 000005
【図４】
2008211771.tif 000006
【図５】
2008211771.tif 000007
【図６】
2008211771.tif 000008